(57)【特許請求の範囲】
【請求項１】
間隔を置いて並行配置された１対の側壁(4)を一体に有する下側保持板(1)と、柄(5)を備えた上側押え板(2)とからなり、上側押え板(2)は下側保持板１の側壁(4)間に嵌め込み可能となっており、
下側保持板１の両側壁(4)と上側押え板(2)の上記側壁側の端部には、上側押え板(2)を下側保持板(1)内に上側から一定圧で押し込むことにより、保持板(1)及び押え板(2)の弾性に抗して互いに係合する係合部(10、11)をそれぞれ形成し、
下側保持板(1)の下面に当てたモップ(3)の両端を、各側壁(4)を経て下側保持板(1)内へと折り込み、下側保持板(1)に上側押え板(2)を嵌め込むことにより、両板(1、2)間でモップ(3)を挟持し、
上側押え板(2)は下側保持板(1)に対し側壁(4)に沿って移動可能に嵌め込まれており、該側壁(4)に沿った移動により係合部(10、11)同士の係合を解除可能とし、
上側押え板(2)と下側保持板(1)の間には、上記係合部(10、11)同士の係合位置で両板をロックするロック機構を設けていることを特徴とするモップ保持器。
【請求項２】
下側保持板１内には、保持板１内に折り込まれるモップ端部を仮保持する仮止め用片１２を設けていることを特徴とする請求項１記載のモップ保持器。
【発明の詳細な説明】
【０００１】
【発明の属する技術分野】
この発明は、パイル付きあるいはシート状のモップ類を保持するモップ保持器に関し、特に、モップを保持器に対して着脱自在に取り付けることができるモップ保持器に関する。
【０００２】
【従来の技術】
モップを着脱自在に取り付けることができるモップ保持器の取付構造としては、一般的には、実公平７−４０３６０号に記載されているように、モップの端部に袋部を設け、該袋部に保持器の端部を挿入し、マジックテープあるいは適宜の挟み具に挟む構造や、実用新案登録３０１７５４５号のように保持器の上面にバックルを設け、モップの両端折曲部をバックルによって固定する構造や、あるいは実開平４−８９２５２号のように、保持器の背面に複数の突起を形成し、シート型モップの前後両端部に係合孔を形成し、保持器の下側に当てたモップの両端を折り返して、上記突起に係合する構造等がある。また、保持器背面に突起を形成し、一方パイル付モップの両端部には孔を形成し、モップを保持器の下側に当て、モップ両端を保持器背面へと折り返し、孔に前記突起を係合する構造もある。
【０００３】
【発明が解決しようとする課題】
いずれもモップの先端部を部分的に保持器に固定する構造なので、モップ全体を均一にかつ一定張力で固定することが困難であり、モップの途中にしわがよったり、あるいは清掃作業中に力を入れてこすり過ぎると、外れたりする。
【０００４】
【発明の目的】
モップの取付が簡単で、かつ、モップ全体にしわが寄らないように、モップ全体として均一な張力で保持器に取り付けることができるモップ保持器を提供することを目的としている。
【０００５】
【課題を解決するための手段】
前記目的を達成するため、本願請求項１記載の発明によるモップ保持器は、間隔を置いて並行配置された１対の側壁４を一体に有する下側保持板１と、柄５を備えた上側押え板２とからなり、上側押え板２は下側保持板１の側壁４間に嵌め込み可能となっており、Ｂ．下側保持板１の両側壁４と上側押え板２の上記側壁側の端部には、上側押え板２を下側保持板１内に上側から一定圧で押し込むことにより、保持板１及び押え板２の弾性に抗して互いに係合する係合部１０、１１をそれぞれ形成し、下側保持板１の下面に当てたモップ３の両端を、各側壁４を経て下側保持板１内へと折り込み、下側保持板１に上側押え板２を嵌め込むことにより、両板１、２間でモップ３を挟持し、上側押え板２は下側保持板１に対し側壁４に沿って移動可能に嵌め込まれており、該側壁４に沿った移動により係合部１０、１１同士の係合を解除可能とし、上側押え板２と下側保持板１の間には、上記係合部１０、１１同士の係合位置で両板をロックするロック機構を設けている。
ことを特徴としている。
【０００６】
請求項２記載の発明は、請求項１記載のモップ保持器において、上側押え板は下側保持板に対し側壁に沿って移動可能に嵌め込まれ、該側壁に沿った移動により係合部同士の係合を解除可能とし、上側押え板と下側保持板の間には、上記係合部同士の係合位置で両板をロックするロック機構を設けていることを特徴としている。
【０００８】
【発明の実施の形態】
図１は本願発明を適用したモップ保持器の斜視図であり、保持器全体は、偏平な直方体となっており、短手方向を前後方向と仮定して以下説明する。保持器は、前後両端に垂直な側壁４を有する下側保持板１と、該保持板１内に上側から嵌め込まれる上側押え板２とから構成されており、該上側押え板２の上面には、自在継手９を介して柄５が設けられており、該柄５の先端部にはハンドルパイプ６が着脱自在に接続されている。両板１，２は上方から見ていずれも矩形状に形成されている。パイル付きのモップ３を保持板１の下面に配置して、その前後両端を下側保持板１の内側へと折り返して、上側押え板２を上方から下側保持板１内に嵌め込むことにより、モップ３を挟持している。上記下側保持板１、上側押え板２及び柄５は硬質樹脂でできている。
【０００９】
図２は下側保持板１の単体の平面図であり、前後の側壁４は互いに平行に配置されると共に下側保持板１の左右方向（長手方向）の全幅にわたって形成されているが、保持板１の左右端には側壁は形成されておらず、解放されている。各側壁４の互いに向き合う面には、左右１対の係合突起１０がそれぞれ形成されており、前後の係合突起１０は互いに対向配置されており、それぞれ左右方向に一定長さｄ１を有している。
【００１０】
下側保持板１の平面本体部分には、上記各係合突起１０に前後間隔をおいてそれぞれ向き合うように仮止め用片１２が形成されており、各仮止め用片１２に対応する保持板１部分にはそれぞれ四辺形の逃がし孔１４が形成されている。
【００１１】
右側の前後の仮止め用片１２間には、前後幅の中心線Ｏ上に位置するようにロック用ボタン１３が配置され、該ボタン１３はこれと樹脂一体成形されたＨ型の板ばね１５により上方に付勢されている。
【００１２】
図３は上側押え板２の単体の平面図を示しており、短手方向の前後端部には、左右方向に一定の間隔をおいて左右１対の係合突起１１がそれぞれ形成されており、各係合突起１１はそれぞれ円弧形に形成されると共にその左右方向の長さｄ２を概ね前記図２の係合突起１０の長さｄ１とおなじ程度の長さか、あるいはそれよりも短い長さにしてある。図３では、たとえば７０〜８０％程度の長さにしてある。右側の１対の係合突起１１間には、前後幅の中心線Ｏ上にロック用ボタン通過孔１７が形成されている。４つの円弧形係合突起１１及びボタン通過孔１７の位置は、それぞれ図２の係合突起１０及びロック用ボタン１３に対応している。
【００１３】
図４は図２のIV−IV断面を示しており、上側押え板２の前後両端には、下向きに突出する短い側壁１９が形成され、該側壁１９に前記円弧状の係合突起１１が形成されており、該係合突起１１の下面は、下方への挿入勝手となるように傾斜面１１ａとなっている。一方、下側保持板１の係合突起１０は、側壁４の上端に形成されており、前記上側押え板２の係合突起１１が挿入勝手となるように、該係合突起１１の傾斜面１１ａに対向する傾斜面１０ａが形成されている。前側の仮止め用片１２は、前側の逃がし孔１４の後端縁から垂直上方に少し突出すると共に、水平前方へと延びており、前端部には下向きに三角形状に張り出すやじり状の返し２１が形成されている。後側の仮止め用片１２は、前側の仮止め用片１２と前後対称に形成されており、水平後方へと延び、後端部には下向きに三角形状に張り出すやじり状の返し２１が形成されている。
【００１４】
図５は図２のV−V断面図を示しており、右側の前後の仮止め用片１２間にはボタン装着板２２が架設されており、該装着板２２には前記ボタン通過孔１７に対応する位置にボタン挿通孔２３が形成されている。ロック用ボタン１３には段部２４が形成されており、前記板ばね１５により上方へと付勢されるボタン１３の段部２４がボタン挿通孔２３の周縁に着座している。
【００１５】
板ばね１５は図７に示すように左右幅の中央部が高くなるように山形に形成され、前後の下端四隅は、保持板１の平面部分に、左右方向に摺動可能に支持されている。また板ばね１５の下端四隅を囲むように前後左右両側にはガイド壁２７が形成されている。
【００１６】
図６は上側押え板２の右側面図を示しており、上側押え板２の左右端部には、前後幅の中間部に下開きの切欠き３０を有する側壁３１が形成されている。
【００１７】
モップ３の着脱作業を説明する。図４において、モップ３の上面（背面）に下側保持板１を載せ、モップ３の前後両端をそれぞれ前後の側壁４の表面を経て保持板１内へと折り込み、それぞれ前後の仮止め用片１２の下側に挟み込む。これにより、モップ３の前後両端部分は、仮止め用片１２の返し２１により、前後に抜け落ちないように仮止めされる。
【００１８】
次に、上側押え板２を、ボタン通過孔１７がボタン１３に対応するように位置させて、下側保持板１内に上方から一定の押圧力で嵌め込む。この嵌め込み過程において、上側押え板２はその係合突起１１により、係合突起１０を介して側壁４を前後に押し広げながら嵌め込まれ、最終的に図５に示すように係合突起１０，１１同士が係合することにより、両係合突起１０，１１間でモップ３を挟持すると同時に上側押え板２を嵌め込み状態に維持する。
【００１９】
この状態では、図８に示すようにロック用ボタン１３により保持板１に対する上側押え板２の左右方向の移動は固定されている。
【００２０】
モップ３を取り外す場合には、ボタン１３を押し込んで上側押え板２とのロックを解除して、上側押え板２を右あるは左方向にスライドする。図８で上側係合突起１１が下側保持板１の係合突起１０から外れる位置まで移動すると、上側押え板２を上方へと取り外すことができる。
【００２１】
【その他の実施の形態】
（１）上側押え板２のスライドをロックする機構は、図５のような押しボタン式のものに限定されず、たとえば、保持板１の長手方向の一端に、上側押え板２の長手方向の端縁を係止する位置に進退可能なロックピンを設けてもよい。
【００２２】
（２）モップとして、シート状の使い捨てモップを取り付けるモップ保持器に適用することも可能である。
【００２３】
（３）図示の実施の形態では、下側保持板１及び上側押え板２は、いずれも上方から見た形状は図２及び図３のように矩形状に形成されているが、左右両端部をそれぞれ円弧形とすることもできる。ただし、この場合も、前後の側壁４は平行に配置され、上側押え板２が左右にスライドするように嵌め込まれる。
【００２４】
【発明の効果】
以上説明したように本願発明によると、
（１）  下側保持板１の両側壁４と上側押え板２の上記側壁側の端部には、上側押え板２を下側保持板１内に上側から一定圧で押し込むことにより、保持板１及び押え板２の弾性に抗して互いに係合する係合部１０，１１をそれぞれ形成し、下側保持板１の下面に当てたモップの両端を、各側壁４を経て下側保持板１内へと折り込み、下側保持板１に上側押え板２を嵌め込むことにより、両板１，２間でモップを挟持するようにしているので、モップの着脱を簡単に行えると共に、モップを保持するための特別のクリップ機構を必要とせず、構造も簡素化することができる。
【００２５】
（２）  モップの前後両端部の全域を保持板１内に折り込んで上側押え板２との間で挟持できるので、モップ全体を略均一張力で張った状態で保持することができ、清掃作業中にモップが緩んでしわになる心配はなく、スムーズに清掃作業が行える。
【００２６】
（３）  保持板１内に折り込まれるモップ端部を仮保持する仮止め用片１２を設けていると、モップの装着作業において、モップを仮止めした状態で上側押え板２を嵌め込むことにより、しわがよることなく簡単に、均一な張力で取り付けることができる。
【００２７】
（４）  上側押え板２は下側保持板１に対し側壁４に沿って移動可能に嵌め込まれ、該側壁４に沿った移動により係合部同士の係合を解除可能とし、上側押え板２と下側保持板１の間には、上記係合部同士の係合位置で両板１，２をロックするロック機構を設けていると、清掃中に上側押え板２及びモップが外れにくくなると共に、一定期間使用後にモップを取り外す時、ロック機構を解除して上側押え板２をスライドさせるだけで簡単に取り外すことができ、作業員の手を汚すことが少なくなる。
【図面の簡単な説明】
【図１】  本願発明を適用した清掃用具の斜視図である。
【図２】  下側保持板の単体の平面図である。
【図３】  上側押え板の単体の平面図である。
【図４】  図２のIV−IV断面図である。
【図５】  図２のV−V断面図である。
【図６】  上側押え板の右側面図である。
【図７】  図２のVII-VII断面図である。
【図８】  モップ保持器の部分平面図である。
【符号の説明】
１  下側保持板
２  上側押え板
３  モップ
４  側壁
１０  係合突起（係合部）
１１  係合突起（係合部）
１２  仮止め用片
１３  ロック用ボタン
【図１】
0003817019.tif 000002
【図２】
0003817019.tif 000003
【図３】
0003817019.tif 000004
【図４】
0003817019.tif 000005
【図５】
0003817019.tif 000006
【図６】
0003817019.tif 000007
【図７】
0003817019.tif 000008
【図８】
0003817019.tif 000009